(57)【要約】【課題】簡単かつ低廉な構造で、見込み方向に傾けた障子の姿勢を保持することができる上げ下げ窓を提供する。【解決手段】建物開口部の縁に沿って備えられる上枠１１と下枠１２と左右の縦枠１３、１４とを有する枠体１０、枠体内側の上部に備えられる上障子２０、及び、枠体内側の下部に備えられる下障子３０を具備し、上障子及び下障子のうち少なくとも下障子が上下に移動自在である上げ下げ窓であって、下障子は、上框３１と下框３２と左縦框３３と右縦框３４とを有する框、及び、該框の内側に備えられるパネル３５を具備し、下障子の下框に係合部３９が備えられるとともに、下枠に被係合部５０が備えられ、下障子を、下端部を支点として見込み方向に傾けると、係合部と被係合部とが係合し、該姿勢を保持することができることを特徴とする、上げ下げ窓１００とする。【選択図】図１
2010216172.tif 000002
【特許請求の範囲】
【請求項１】
建物開口部の縁に沿って備えられる上枠と下枠と左右の縦枠とを有する枠体、前記枠体内側の上部に備えられる上障子、及び、前記枠体内側の下部に備えられる下障子を具備し、前記上障子及び前記下障子のうち少なくとも前記下障子が上下に移動自在である上げ下げ窓であって、
前記下障子は、上框と下框と左縦框と右縦框とを有する框、及び、該框の内側に備えられるパネルを具備し、
前記下障子の前記下框に係合部が備えられるとともに、前記下枠に被係合部が備えられ、
前記下障子を、下端部を支点として見込み方向に傾けると、前記係合部と前記被係合部とが係合し、該姿勢を保持することができることを特徴とする、上げ下げ窓。
【発明の詳細な説明】
【技術分野】
【０００１】
本発明は、住宅や公共施設等の建物開口部に備えられる上げ下げ窓に関し、詳しくは、見込み方向に傾けた障子の姿勢を保持できる手段を備えた上げ下げ窓に関する。
【背景技術】
【０００２】
建物開口部に備えられる開口部装置の多くは、該開口部の縁に沿って取り付けられた枠体と該枠体内に備えられる障子とを具備する。このような開口部装置の中に、上下に移動可能な可動障子によって開口部の閉鎖／開放を可能にした上げ下げ窓がある。
【０００３】
上げ下げ窓の中には、障子の室外側の面を室内側から掃除することなどを目的として、障子を室内側に傾けた姿勢を保持できる手段を備えたものがある。例えば、特許文献１には、建物開口部に取り付けられた枠体と該枠体内側に備えられた障子とを支持アームで連結させることによって、室内側に傾けた障子の姿勢を保持できる技術が開示されている。
【先行技術文献】
【特許文献】
【０００４】
【特許文献１】特開平７−３０１０４３号公報
【発明の概要】
【発明が解決しようとする課題】
【０００５】
従来の上げ下げ窓では、室内側に傾けた障子の姿勢を保持するために、上記特許文献１に開示されている支持装置の様な構造を必要とするため、部品点数が増え、上げ下げ窓の製造費用が高くなるなどの問題があった。
【０００６】
そこで本発明は、簡単かつ低廉な構造で、見込み方向に傾けた障子の姿勢を保持することができる上げ下げ窓を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、建物開口部の縁に沿って備えられる上枠（１１）と下枠（１２）と左右の縦枠（１３、１４）とを有する枠体（１０）、枠体内側の上部に備えられる上障子（２０）、及び、枠体内側の下部に備えられる下障子（３０）を具備し、上障子及び下障子のうち少なくとも下障子が上下に移動自在である上げ下げ窓であって、下障子は、上框（３１）と下框（３２）と左縦框（３３）と右縦框（３４）とを有する框、及び、該框の内側に備えられるパネル（３５）を具備し、下障子の下框に係合部（３９）が備えられるとともに、下枠に被係合部（５０）が備えられ、下障子を、下端部を支点として見込み方向に傾けると、係合部と被係合部とが係合し、該姿勢を保持することができることを特徴とする、上げ下げ窓（１００）を提供することにより、前記課題を解決する。
【０００９】
本発明において、「見付方向」とは全体として平板状である上げ下げ窓の該平板状の平面に沿った方向を意味し、上げ下げ窓が建物に取り付けられた姿勢では、建物開口部の開口面に沿った方向を意味する。また、「見付方向内側」とは、見付方向のうち、上げ下げ窓の中央方向を意味する。従って「見付方向外側」とは見付方向のうち、開口部から離れる方向を意味する。さらに、「見込み方向」とは全体として平板状である上げ下げ窓の該平板状の厚さ方向を意味し、上げ下げ窓が建物に取り付けられた姿勢では、建物の室内外方向を示す。
【発明の効果】
【００１０】
本発明によれば、簡単かつ低廉な構造で、見込み方向に傾けた障子の姿勢を保持することができる上げ下げ窓を提供することができる。
【図面の簡単な説明】
【００１１】
【図１】建物の開口部に取り付けられている上げ下げ窓１００を、室内側から正面視したときの概略図である。
【図２】図１に示した上げ下げ窓１００の枠体１０を分解して概略的に示した正面図である。
【図３】図１に示した上げ下げ窓１００のＩＩＩ−ＩＩＩ断面を概略的に示した図である。
【図４】図３に示した可動障子３０を室内側に傾けた姿勢を概略的に示す図である。
【図５】図１（ｂ）に示した上げ下げ窓１００のＶ−Ｖ断面を概略的に示した図である。
【図６】図４に示した可動障子３０をさらに室内側に傾けた姿勢を概略的に示した図である。
【図７】（ａ）は図１に示した上げ下げ窓１００のＶＩＩ−ＶＩＩ断面の一部を概略的に示した図である。（ｂ）は施錠装置３７によって施錠した姿勢を概略的に示す図である。
【発明を実施するための形態】
【００１２】
本発明の上記した作用及び利得は、次に説明する発明を実施するための最良の形態から明らかにされる。
【００１３】
以下、本発明を図面に示す実施形態に基づき説明する。ただし、本発明はこれら実施形態に限定されるものではない。
【００１４】
図１は、建物の開口部に取り付けられている本発明の上げ下げ窓１００を、室内側から正面視したときの概略図である。図１（ａ）は閉鎖姿勢の上げ下げ窓１００を示しており、図１（ｂ）は一部開放した姿勢の上げ下げ窓１００を示している。図２は、図１（ｂ）に示した上げ下げ窓１００の枠体１０を分解して概略的に示した正面図である。図３は、図１（ａ）に示した上げ下げ窓１００のＩＩＩ−ＩＩＩ断面を概略的に示した図である。図４は、図３に示した可動障子３０を室内側に傾けた姿勢を概略的に示した図である。図５は、図１（ｂ）に示した上げ下げ窓１００のＶ−Ｖ断面を概略的に示した図である。図６は、図４に示した可動障子３０をさらに室内側に傾けた姿勢を概略的に示した図である。図７（ａ）は、図１（ａ）に示した上げ下げ窓１００のＶＩＩ−ＶＩＩ断面の一部を概略的に示した図であり、図７（ｂ）は、施錠装置３７によって施錠した状態を概略的に示した図である。なお、図１及び２においては、紙面奥が室外側、紙面手前が室内側であり、図３〜６においては、紙面左側が室外側、紙面右側が室内側であり、図７においては、紙面上側が室外側、紙面下側が室内側である。また、図１〜７では、図面が煩雑になるのを防ぐため、一部符号を省略している。
【００１５】
図１に示すように、上げ下げ窓１００は、建物開口部の縁に沿って取り付けられた枠体１０と、該枠体１０の内側に取り付けられた上障子２０及び下障子３０とを備え、さらに図２に示すように、バランサー６０、６０が縦枠１３、１４に内設されている。
【００１６】
枠体１０は、水平方向に配置される長尺部材である上枠１１及び下枠１２と、上枠１１及び下枠１２の端部を渡して設けられる長尺部材である左縦枠１３及び右縦枠１４とを備えている。
【００１７】
下枠１２には、図３に示すように凹部５０が備えられており、該凹部５０は、後に詳述するように、下框３２に備えられる係合部３９と係合する被係合部５０として機能する（図６参照）。被係合部５０は、係合部３９と係合できる形状であれば特に限定されず、下枠１２の長手方向に沿って連続的に延在するか、又は下枠１２の長手方向に沿って断続的に備えられている。
【００１８】
右縦枠１４には、図３に破線で示すように、ガイド溝４０が形成されている。なお、図示はしていないが、左縦枠１３にも右縦枠１４と同様のガイド溝が形成されている。ガイド溝４０の構成については、後に詳述する。
【００１９】
上障子２０は、上框２１、下框２２、左縦框２３、及び、右縦框２４を方形に組み、その区画内にパネル（例えば、ガラスパネル）２５を装着して構成されている。本実施形態例では、パネル２５として、図３に示すように、２枚のガラス２５ａ、２５ｂの間にスペーサー２５ｃ、２５ｃを挟持した複層ガラスを例示しているが、単板ガラスでも構わない。ただし、断熱性を向上させるという観点からは、複層ガラスの方が好ましい。
【００２０】
また、上障子２０は、上枠１１に上框２１が、左枠１３に左縦框２３が、右枠１４に右縦框２４がそれぞれ固定されることで、枠体１０内側の上部において、枠体１０に対して相対的に位置が固定されている。以下、上障子２０を固定障子２０という。
【００２１】
下障子３０は、上框３１、下框３２、左縦框３３、及び、右縦框３４を方形に組み、その区画内にパネル（例えば、ガラスパネル）３５を装着して構成されている。本実施形態例では、パネル３５として、図３に示すように、２枚のガラス３５ａ、３５ｂの間にスペーサー３５ｃ、３５ｃを挟持した複層ガラスを例示しているが、単板ガラスでも構わない。ただし、断熱性を向上させるという観点からは、複層ガラスの方が好ましい。
【００２２】
下障子３０の上框３１の室内側には引手部３６が備えられており、該引手部３６に手を掛けて操作することで、後に詳述するように、下障子３０をガイド溝４０に沿って上下に移動させることができる。以下、下障子３０を可動障子３０という。
【００２３】
また、図１〜３に示すように、上框３１（引手部３６）は、閉鎖姿勢で室内側から見て固定障子２０の下框２２を覆う形態になっている。かかる形態とすることによって、意匠性が向上するとともに、水密性、断熱性、及び防犯性に優れた構造となる。すなわち、閉鎖姿勢で固定障子２０と可動障子３０との間を上框３１（引手部３６）によって覆われることで、水や熱の出入りを防いで水密性及び断熱性を向上させるとともに、バールなどを差し込み難くすることで防犯性を高められる。
【００２４】
さらに、可動障子３０の下框３２の室内側には引手片３９が備えられており、該引手片３９は、後に詳述するように、下枠１２に設けられた被係合部５０と係合する係合部３９として機能する。係合部３９は、被係合部５０と係合できる形状であれば特に限定されず、下框３２の長手方向に沿って連続的に延在するか、又は下框３２の長手方向に沿って断続的に備えられている。
【００２５】
さらに、可動障子３０の左縦框３３及び右縦框３４のそれぞれの下端部には、図２に示すように、見付方向外側に突出して支持部材３８、３８が取り付けられている。支持部材３８は、ガイド溝４０と係合する支持部３８ａを有する。また、支持部３８ａには、環状溝３８ｂが備えられており、環状溝３８ｂには、縦枠１３、１４の上部それぞれに内設されたバランサー６０に連なるとともにガイド溝４０に沿って配設されたワイヤー６１の一端が係止されている（図２参照）。従って、可動障子３０はバランサー６０、６０によって吊られた状態にある。バランサー６０には渦巻きバネが内設されており、可動障子３０の質量と平衡を保ち、可動障子３０を小さな力で上下移動させることを可能にするとともに、任意の高さで停止させることができる。
【００２６】
可動障子３０は、閉鎖姿勢では、図３に示すように、枠体１０内側の固定障子２０の下方において固定障子２０と同一面内に並置されている。このとき、見付方向外側に突出するようにして上框３１に設けられたラッチ７０（図６（ａ）参照）が、右の縦枠１４に設けられた凹部（被係合部）７１（図６（ａ）参照）に係合されており、可動障子３０のガタツキが防止されている。なお、図６では右縦枠１４側のみ図示しているが、左縦枠１３側も同様である。
【００２７】
また、閉鎖姿勢で可動障子３０と固定障子２０とが同一面内に並置されていることから、気密性を確保する部材を同一面内に設けることができ、可動障子と固定障子とを見付方向にずらして配設していた従来の上げ下げ窓より、気密性を高めることができる。より具体的には、上げ下げ窓１００では、閉鎖姿勢において、固定障子２０と上枠１１との間にパッキン８１（図３参照）を介在させ、固定障子２０と右縦枠１４との間にパッキン８４（図６では可動障子３０と右縦枠との間のパッキン８４が図示されているが、パッキン８４は右縦枠１４に沿って延在している。）を介在させ、固定障子２０と左縦枠１３との間にパッキン（図示していないが、パッキン８４と同様。）を介在させ、固定障子２０の下框２２と可動障子３０の上框３１との間にパッキン８２（図３参照）を介在させ、可動障子３０と下枠１２との間にパッキン８３（図３参照）を介在させ、可動障子３０と右縦枠１４との間にパッキン８４（図６参照）を介在させ、可動障子３０と左縦枠１３との間にパッキン（図示していないが、パッキン８４と同様。）を介在させている。これらのパッキンは上枠１１、下枠１２、左縦枠１３又は右縦枠１４に沿って延在しており、略同一面内に配設されている。そのため、気密性を確保しやすくなっている。また、可動障子３０と固定障子２０とが同一面内に並置され、上記パッキンが略同一面内に配設されていることから、断熱性を向上させることもできる。
【００２８】
さらに、可動障子３０と固定障子２０とが同一面内に並置されることによって、防犯性の向上を図ることもできる。従来の上げ下げ窓では、枠体内側の下部に備えられた障子の下框と下枠との間にバールなどを差し込むことで該障子を押し上げ、該障子の上部に取り付けられたクレセント錠が破壊されるということがあった。しかしながら、上げ下げ窓１００では閉鎖姿勢で可動障子３０と固定障子２０とが同一面内に並置されることから、下枠１２と下框３２との間にバールを差し込んで可動障子３０を押し上げるということが困難である。
【００２９】
次に、可動障子３０の開閉操作について説明する。図３に示すように、右縦枠１４に形成されたガイド溝４０は、直線部４１及び傾斜部４２を備えている。直線部４１は、固定障子２０に対して見込み方向内側において、縦枠１４の長手方向に延在している。傾斜部４２は、直線部４１の下枠１２側端に連通するとともに固定障子２０が備えられる側の下枠１２側に向かって延在している。
【００３０】
傾斜部４２の水平面に対する傾斜角θ（図３参照）は特に限定されるものではないが、２５度以上４５度以下の範囲であることが好ましい。傾斜角θが小さ過ぎる場合は、可動障子３０を開ける際に要する力が大きくなる。
【００３１】
可動障子３０を開ける際には、まず、可動障子３０の上框３１の室内側に備えられた引手部３６に手を掛けて室内側に引くことで、上框３１に設けられたラッチ７０を縦枠１３、１４に設けられた凹部７１から離脱させる。そして、図４に示すように、支持部３８ａを支点として、ラッチ７０がガイド溝４０と係合するまで可動障子３０を室内側に傾ける。このとき、ラッチ７０及び支持部３８ａがガイド溝４０と係合しているため、あとは引手部３６や下框３２に備えられた引手片３９などに手を掛けて可動障子３０を引き上げることで、図５に示すように、可動障子３０をガイド溝４０に沿って上方向へ移動させることができる。また、ラッチ７０がガイド溝４０と係合していることによって、可動障子３０を上下移動させる際に、可動障子３０の上部のガタツキを防止することができる。
【００３２】
可動障子３０を閉める際には、まず、引手部３６や引手片３９などに手を掛けて、支持部３８ａがガイド溝４０の下端に達するまで可動障子３０を引き下げる。その後、支持部３８ａを支点として可動障子３０の上部を見込み方向外側に押すことでラッチ７０をガイド溝４０から離脱させるとともに、ラッチ７０を凹部７１に係合させる。
【００３３】
また、上げ下げ窓１００は、パネル３５の室外側の面を掃除する際などには、図４に示した姿勢から、ラッチ７０をガイド溝４０から離脱させ、支持部３８ａ、３８ａを支点として可動障子３０をさらに室内側に傾けることができる（図６参照）。可動障子３０を室内側に傾けることによって、下框３２に備えられた係合部３９が、下枠１２に備えられた被係合部５０と係合し、可動障子３０の傾いた姿勢を保持することができる。このとき、可動障子３０は、図６に示したＡ点で係合部３９を介して被係合部５０（下枠１２）に支えられるとともに、図６に示したＢ点で支持部３８ａを介してガイド溝４０（縦枠１４）に支えられている。このように可動障子３０に働く重力の作用によって可動障子３０の姿勢が保持されており、係合部３９が被係合部５０から簡単に離脱することはない。
【００３４】
従来の上げ下げ窓では、室内側に傾けた障子の姿勢を保持するために、アームスライダーなどを備えさせていたため、部品点数が増え、上げ下げ窓の製造費用が高くなるなどの問題があった。一方、上げ下げ窓１００では下框３２に備えられた係合部３９と下枠１２に備えられた被係合部５０とを係合させることによって、可動障子３０の傾いた姿勢を保持させることができる。係合部３９は下框３２と一体の物として形成することが可能であり、被係合部５０は下枠１２と一体の物として形成することが可能である。従って、上げ下げ窓１００では、部品点数を増やすことなく、可動障子３０の傾いた姿勢を保持することができる。
【００３５】
係合部３９及び被係合部５０は、下框３２及び下枠１２の長手方向に沿って連続的に備えられていても良く、断続的に備えられていても良い。ただし、生産性の観点から、係合部３９及び被係合部５０は、下框３２及び下枠１２の長手方向に沿って連続的に備えられることが好ましい。また、係合部３９及び被係合部５０の下框３２及び下枠１２の長手方向に沿った方向の長さは特に限定されないが、係合部３９及び被係合部５０を係合させている際に係合部３９及び被係合部５０に負荷される荷重を分散させるという観点からは、長い方が好ましい。
【００３６】
これまでの本発明の説明では、上部に固定障子を備え、下部に可動障子を備える形態の上げ下げ窓を例示して説明してきたが、本発明はかかる形態に限定されない。下框に備えられた係合部及び下枠に備えられた被係合部を具備する、傾いた障子の姿勢を保持する手段は、障子を見込み方向に傾けさせることができる機構を備えたあらゆる開口部装置に適用可能である。
【００３７】
さらに、本発明の上げ下げ窓１００には、図１及び７に示すように、上框３１の室内側に施錠装置３７、３７が備えられている。施錠装置３７、３７について以下に説明する。
【００３８】
施錠装置３７は、上框３１の引手部３６の室内側に備えられた取っ手３７ａ、及び、取っ手３７ａと連通しており引手部３６の内側に備えられた係合部３７ｂを備えている。開錠姿勢では図６（ａ）に示すように係合部３７ｂが引手部３６の内側に納められている。取っ手３７ａを見付方向外側にスライドさせると、図６（ｂ）に示すように、係合部３７ｂが見付方向外側に突出し、右縦枠１４に形成された穴７２から右縦枠１４に挿入されるとともに、受け部（被係合部）７３と係合して、施錠される。また、施錠姿勢から取っ手３７ａを見付方向内側にスライドさせることで、係合部３７ｂが穴７２から離脱し、開錠される。図６では右側の施錠装置３７についてのみ図示しているが、左側の施錠装置３７も同様である。
【００３９】
施錠装置３７、３７は正面視においてパネル２５、３５と重なることがなく、意匠性に優れる。また、施錠装置３７、３７は室外側からは見えず、室外側から鍵の位置を確認し難いため、防犯性に優れるという効果も有する。
【００４０】
以上、現時点において最も実践的であり、かつ、好ましいと思われる実施形態に関連して本発明を説明したが、本発明は本願明細書中に開示された実施形態に限定されるものではなく、請求の範囲及び明細書全体から読み取れる発明の要旨或いは思想に反しない範囲で適宜変更可能であり、そのような変更を伴う上げ下げ窓も本発明の技術的範囲に包含されるものとして理解されなければならない。
【符号の説明】
【００４１】
１０  枠体
１１  上枠
１２  下枠
１３  左縦枠
１４  右縦枠
２０  上障子（固定障子）
２１  上框
２２  下框
２３  左縦框
２４  右縦框
２５  パネル
３０  下障子（可動障子）
３１  上框
３２  下框
３３  左縦框
３４  右縦框
３５  パネル
３６  引手部
３７  施錠装置
３７ａ  取っ手
３８ｂ  係合部
３８  支持部材
３９  係合部（引手片）
４０  ガイド溝
４１  直線部
４２  傾斜部
５０  被係合部
６０  バランサー
６１  ワイヤー
７０  ラッチ
７１  凹部（被係合部）
７２  穴
７３  受け部（被係合部）
８１、８２、８３、８４  パッキン
１００  上げ下げ窓
【図１】
2010216172.tif 000003
【図２】
2010216172.tif 000004
【図３】
2010216172.tif 000005
【図４】
2010216172.tif 000006
【図５】
2010216172.tif 000007
【図６】
2010216172.tif 000008
【図７】
2010216172.tif 000009